(57)【要約】【課題】ペーパーカット後、ペーパー先端切れ目が自動的にふたカッタ―先端より外に出て来て、容易につかめて引き出せる  トイレット用等のロールホルダーを提供する。【解決手段】ホルダー前方水平に取り付けた２本の円柱間に、引き出したペーパーをタテに垂らし、内側に突起物を付けた新ふたカッタ―を蝶つがいで従来ふたカッタ―に連結する。すると新ふたカッタ―を指で下の円柱に押し付けるペーパーカット時には、突起物が２円柱間に垂らしたペーパーを押し、たるみを作る。そしてカット後、指を離せば新ふたカッタ―は、蝶つがい内バネの力で自動で上がり指が入る空間を作りつつ、突起物がペーパーを押さなくなり、ペーパーたるみが重力で復元、新ふたカッタ―先端より下に出て来て、次の紙として容易につかめて引き出せる事を特徴とする。【選択図】図２
2020089702.tif 000002
【特許請求の範囲】
【請求項１】
従来ふたカッタ―（１）の前方に蝶つがい（４）を介して新ふたカッタ―（２）を連結し、この新ふたカッタ―（２）の内側の後方上層部に弾性体（１２）を取り付けた可動板（１１）を設け、この可動板がふたカッタ―（１）の裏面に弾性体（１２）の先端部を押し付けて、弾性体の伸縮で新ふたカッタ―（２）を開閉させる構造にするとともに、新ふたカッタ―（２）の下方内側に、先端が丸い突起物（５）を取り付け、ホルダー前方に水平に取り付けた上下２本の円柱（７、８）との間に、引き出したペーパー先端部をタテに垂らすようにし、半透明化によりカッタ―先端部のペーパー当たりと紙残量を外から見えやすくした新ふたカッタ―（２）を、ペーパーが乗った下円柱（８）に押し付けるペーパーカット時には、上記突起物（５）も垂らしたペーパーを押してたるみを作るとともに、カット後は上がっていた可動板（１１）に押されて縮んでいた前記の弾性体（１２）の復元力により再び上がる新ふたカッタ―（２）の下方内側に、指が入る空間を作りつつ、突起物（５）は垂らしたペーパーを押さなくなり、ペーパーのたるみが真っすぐに復元した際に生じる長さプラス分が下に出て来て、次の紙として容易につかめて引き出せるロールペーパーホルダー。
【発明の詳細な説明】
【技術分野】
【０００１】  本発明は、ペーパー先端切れ目が自動的にふたカッタ―先端より下に出て来てつかみやすく、電気も使わずメカニズム簡単で低コストなトイレット用等のロールペーパーホルダーに関するものである。
【背景技術】
【０００２】いわゆる「ロールペーパー」は、トイレなどの場で非常に便利である。しかし利用者がスムーズにペーパーを引き出しカットするには親指がペーパー先端部の表面に、人差し指・中指がペーパー裏面に同時に触れてつかむ必要がある。が現行ホルダーでは、ペーパ―先端部の表面がふたカッタ―の下に隠れ、裏面もロールに密着しているため、ペーパー先端部をつかむには相当の困難が伴う。
【発明の概要】
【課題を解決するための手段】
【０００３】ペーパー切り取り後、ペーパー先端（切れ目）が自動的にふたカッタ―（２）の先端よりも外に出て来て、容易につかめて、スムーズにペーパーを引き出せる  トイレット用等のロールホルダーを提供する。【０００４】  まず従来ふたカッタ―（１）の前方に蝶つがい（４）を介して新ふたカッタ―（２）を連結し、この新ふたカッタ―（２）の内側の後方上層部に弾性体（１２〜試作品ではバネ）を取り付けた可動板（１１）を設け、この可動板が従来ふたカッタ―（１）の裏面にバネなど弾性体（１２）の先端部を押し付け、弾性体の伸縮で新ふたカッタ―（２）を開閉させる構造にする。【０００５】  つぎに新ふたカッタ―（２）の内側に、ペーパーロール方向に向けて長ネジなど先端が丸い突起物（５）を取り付け、ホルダー前方に水平に取り付けた表面ツルツルの上下２本の円柱（７、８）との間に、引き出したペーパー先端部をタテに垂らすようにする。【０００６】すると半透明化によりカッタ―先端部のペーパー当たりと紙残量が外から見えやすくした新ふたカッタ―（２）を、ペーパー先端部が乗った下円柱（８）に押し付けるペーパーカット時には、上記突起物（５）も垂らしたペーパーを押してたるみを作っておく。＜図１＞【０００７】ペーパーカット後は、上がっていた可動板（１１）に押されて縮んでいた前記の弾性体（１２）の復元力により、新ふたカッタ―（２）は自動的に再びはね上がる。
すると新ふたカッタ―（２）の下方内側に、指が入る空間を作りつつ、突起物（５）が垂らしたペーパーを押さなくなり、作っておいたペーパーのたるみが真っすぐに復元し、その際に生じる長さプラス分が下に出て来て、次の紙として容易につかめ引き出せる。＜図２＞【０００８】  従来ペーパーホルダーでは、もし何らかの水分が付着した指でロ―ル上のペーパー先端部をまさぐり探せば、指の水分がロール深部にまで浸み通って、引き出したペーパーのほぼ等距離ごとに水浸みが点々と生じ、しばらくの間はペーパー同士がくっ付いてめくりにくくなってしまうが、本機ではペーパー先端部（６）はロールに密着しないので、そのような問題は全く起きない。【０００９】  従来ふたカッタ―（１）はロールに密着圧迫してロール回転を邪魔するので、これを避けたい使用者はリズミカルにペーパーをカタカタカタカタ！と必要以上に強く長く引き出して、従来ふたカッタ―（１）を瞬間的にハネ上げてペーパーを浪費する。が本発明では新ふたカッタ―（２）はバネなど弾性体（１２）の力で上にはね上がりロールには密着圧迫しないので、ロールはスムーズに回転し、おのずとペーパー引き出し量も少なくなり、紙の原材料である植物の伐採量を減らし二酸化炭素発生量を減少させ、地球の自然環境の保護にも貢献できる。
【発明を実施するための形態】
【００１０】  ふたカッタ―を１枚式にすると、長くなりすぎ・重くなりすぎて開閉用に強力な弾性体（１２〜試作品ではバネ）を使う必要が生じ、それでは紙カットでふたカッタ―を下円柱（８）に押し付げる際に、大きな力が必要となるので、ふたカッターは連結２枚式とし先端の新ふたカッタ―のみ開閉、バネなど弾性体（１２）は適度な弾性とする。
【００１１】  従来ふたカッタ―（１）には、清掃時の水かぶりからロール防御、公衆トイレではケータイ等の置き場としての効用も有るため本機でも必要であるが、従来ふたカッタ―（１）はロール残量により段々と下降するので、新ふたカッタ―（２）の先端が、常に同じ位置で下の半円柱（８）の上に来て、ペーパーカットできるように、あるいは従来ふたカッタ―（１）が、これまでのように上からロールに当たり続けて、ペーパー引き出し時にスム―ズなロール回転を邪魔しないように、また公衆トイレでは安定したケータイ置きのためフタを水平に保つようにするため、ホルダー本体上部にロール交換に支障が出ない短いネジ等の「従来ふた（１）下がり防止ストッパー（３）」を設置する。
【００１２】  バネなど弾性体（１２）が効くため、新ふたカッタ―（２）はＵＰ状態が基本なので、使用者が紙カットしたくば、おのずと従来式と同様に新ふたカッタ―（２）を下円柱（８）に押し付けようから、説明書ナシで分かるし、従来ホルダー比、新たな操作が増すわけでも無い。
【００１３】  垂らした薄いペーパーが押しても破れぬよう、ロール交換時に手をケガしないよう、新ふたカッタ―（２）に付ける突起物（５）の先端部は丸くして、突起物が最も奥に食い込んだ際は先端がロールと接しない事＜図１＞、突起物（５）が最も外側に移動した際は先端が引き出したペーパーに接触しない＜図２＞ような位置調整が肝要である。
【００１４】  新ふたカッタ―（２）については、使用者に本メカニズムを直視的にアピールし、従来ふたカッタ―（１）と異なり閉塞的なので、ペーパー残量を外から目視できるように、又カット時にペーパーとカッタ―先端部との当たりが見えやすいように、新ふたカッタ―（２）をファッション・サングラスのような、透明〜不透明の中間の「半透明カラー化（＝透けるセピア・薄いグレー等々）」とする。
【００１５】  突起物（５）がより深くロールを押し込み、より大きくペーパーたるみを作ったほうが、より長いペーパー先端部が出て来てつかみやすくなるわけである。があまり欲張っても新ふたカッタ―（２）が上がった際に下がる可動板（１１）がロールに接触して、新ふたカッタ―が上がらなくなるので、新ふたカッタ―（２）の開き具合には限度はある。ペーパー先端部（６）は、１．７センチも出れば十分であろう。
【００１６】  本機ではホルダー前方に、２円柱（７，８）や、突起物（５）を付けた開閉式の新ふたカッタ―（２）を設けるために、試作機もそうだが、通常のホルダーよりはロール前方空間を広く取る必要は生じる。
【００１７】  本機では、ペーパーカット時に、新ふたカッタ―（２）を下半円柱（８）に押し付けつつ、次に備えて内部で「紙のたるみ」を作っておくわけだが、その際には、「引き出したペーパーの２センチほど引き戻し」、「ペーパーを持っている手の引っ張られ感」は有ろうが、かなりの長さを引き出すので問題は無いと思います。
【産業上の利用可能性】
【００１８】本機の両サイドを下に延長してタケ高くすれば、卓上・キッチンなどでも使えよう。また本発明は紙のみならずビニールその他ロール巻き媒体全般に広く利用可能である。例えば食品スーパーなどの荷作りデスクに置かれる「ロール巻きポリ袋カッタ―」でも、ポリ袋は静電気を帯びてロールにへばり付くため、本発明は有効に機能する。
【図面の簡単な説明】
【００１９】
【図１】本機を横から見た  使用状況による機能明示図である。
【図２】本機を横から見た  使用状況による機能明示図である。
【図３】本機の外観図である。
【符号の説明】
【００２０】１    従来ふたカッタ―
２    新ふたカッタ―（半透明カラ―化〜透けるセピア・薄グレー等）
３    ふた下がり防止用ストッパー（先端の丸い５ミリ程の短ネジ等）
４    蝶つがい
５    突起物（先端の丸い長ネジなど）
６    自動的に出て来たペーパー先端部（切れ目、つかむ部分）
７    上円柱（垂らしたペーパーの受け軸）
８    下円柱（垂らしたペーパーの受け軸、カッタ―受け台兼用のために太め、下から指      が入るように半円柱状）
９    ペーパーロール
１０  可動板と蝶つがいを固定するための止めネジ
１１  バネなどの弾性体を取り付ける可動板
１２  バネなどの弾性体
【図１】
2020089702.tif 000003
【図２】
2020089702.tif 000004
【図３】
2020089702.tif 000005